【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
複数の鍵と、
前記複数の鍵それぞれに対応して設けられ、当該複数の鍵それぞれの押鍵操作に応じて変位する複数の伝達部材と、
前記複数の伝達部材それぞれに対応して設けられ、押鍵操作に対応する前記伝達部材の変位に応じて回転動作することにより、押鍵操作されている前記鍵に対してアクション荷重を付与する複数のハンマー部材と、
前記複数の伝達部材それぞれを保持する複数の伝達保持部が前記鍵の配列方向に沿って一体に形成された伝達保持部材と、
を備えていることを特徴とする鍵盤楽器。
【請求項２】
複数の鍵と、
前記複数の鍵それぞれに対応して設けられ、当該複数の鍵それぞれの押鍵操作に応じて変位する複数の伝達部材と、
前記複数の伝達部材それぞれに対応して設けられ、押鍵操作に対応する前記伝達部材の変位に応じて回転動作することにより、押鍵操作されている前記鍵に対してアクション荷重を付与する複数のハンマー部材と、
前記複数のハンマー部材それぞれを回転自在に保持する複数のハンマー保持部が前記鍵の配列方向に沿って一体に形成されたハンマー保持部材と、
を備えていることを特徴とする鍵盤楽器。
【請求項３】
請求項１に記載の鍵盤楽器において、前記伝達保持部材の前記複数の伝達保持部はそれぞれ伝達保持軸を有し、前記伝達部材は、前記伝達保持軸それぞれにその軸方向と略直交する方向から挿脱可能に挿入して回転自在に取り付けられる伝達嵌合部を有していることを特徴とする鍵盤楽器。
【請求項４】
請求項３に記載の鍵盤楽器において、前記伝達部材の前記伝達嵌合部は、その中心部に前記伝達保持軸が嵌合する嵌合孔が形成され、この嵌合孔の周囲における一部に前記伝達保持軸が挿脱可能に挿通する挿入口が形成されていることを特徴とする鍵盤楽器。
【請求項５】
請求項３または請求項４に記載の鍵盤楽器において、前記伝達保持部には、前記伝達部材の横振れを防ぐガイド部がそれぞれ設けられていることを特徴とする鍵盤楽器。
【請求項６】
請求項２に記載の鍵盤楽器において、前記伝達部材は伝達フェルトを含み、前記伝達フェルトは前記ハンマー部材と当接する箇所に設けられており、前記ハンマー保持部材の前記複数のハンマー保持部はそれぞれハンマー保持軸を有し、前記ハンマー部材は、前記ハンマー保持軸それぞれにその軸方向と略直交する方向から挿脱可能に挿入して回転自在に取り付けられるハンマー嵌合部を有していることを特徴とする鍵盤楽器。
【請求項７】
請求項６に記載の鍵盤楽器において、前記ハンマー部材の前記ハンマー嵌合部は、その中心部に前記ハンマー保持軸が嵌合する嵌合孔が形成され、この嵌合孔の周囲における一部に前記ハンマー保持軸が挿脱可能に挿通する挿入口が形成されていることを特徴とする鍵盤楽器。
【請求項８】
請求項６または請求項７に記載の鍵盤楽器において、前記ハンマー保持部には、前記ハンマー部材の横振れを防ぐガイド部がそれぞれ設けられていることを特徴とする鍵盤楽器。
【請求項９】
請求項１〜請求項８のいずれかに記載の鍵盤楽器において、前記鍵の配列方向に沿って配置されて前記伝達保持部材が取り付けられる伝達支持レールと、前記鍵の配列方向に沿って配置されて前記ハンマー保持部材が取り付けられるハンマー支持レールと、を備えていることを特徴とする鍵盤楽器。
【請求項１０】
請求項９に記載の鍵盤楽器において、前記鍵の配列方向の全長における予め定められた複数個所にそれぞれ配置され、前記伝達支持レールおよび前記ハンマー支持レールを支持する複数の支持部材を備えていることを特徴とする鍵盤楽器。
【請求項１１】
複数の鍵と、
前記複数の鍵夫々に対応して設けられ、前記対応する鍵に対する押鍵操作に応じて上方向に回転する複数の伝達部材と、
前記複数の鍵夫々に対応して設けられ、前記鍵に対応する伝達部材の上方向への回転操作に応じて上方向に回転することにより、前記対応する鍵に対してアクション加重を付与するハンマー部材と、
前記複数のハンマー部材夫々に対応して設けられ、当該ハンマー部材の回転動作に応答して押圧されることにより、楽音を発音するためのオン信号を出力する複数のスイッチ部と、
を有する鍵盤楽器。
【請求項１２】
請求項１１に記載の鍵盤楽器において、前記複数のスイッチ部は、複数の接点部を有し、
当該複数の接点夫々は前記ハンマー部材の回転動作に応答して順次時間差を持ってオンする鍵盤楽器。
【請求項１３】
請求項１２に記載の鍵盤楽器において、前記スイッチ部夫々は、前記複数の鍵の配列方向に長いゴムシートに逆ドーム状の膨出部が前記複数のハンマー部材にそれぞれ対応して形成されたゴムスイッチと、当該ゴムスイッチが下面に設けられたスイッチ基板と、を有する鍵盤楽器。
【請求項１４】
請求項１２に記載の鍵盤楽器において、前記鍵盤楽器はさらに、
前記鍵盤楽器内に設けられたベース部材と、
前記複数の鍵の配列方向の全長における予め定められた複数個所にそれぞれ位置した状態で、前記ベース部材上に起立して取り付けられた複数の支持部材と、
前記複数の鍵の配列方向全長にわたる長さを有する長板状に形成され、前記複数の支持部材夫々に取り付けられた一対の基板レールと、
を有し、前記スイッチ基板は、前記一対の基板レールにより、前記複数のハンマー部材夫々に対応する上方に配置される鍵盤楽器。
【請求項１５】
楽器ケース内に設けられたベース部材上に配置された複数の鍵と、
前記複数の鍵の間の複数の位置夫々に、前記ベース部材上に起立して取り付けられた複数の支持部材と、
前記複数の鍵夫々に対応して設けられ、前記対応する鍵に対する押鍵操作に応じて上方向に回転する複数の伝達部材と、
前記複数の鍵夫々に対応して設けられ、前記鍵に対応する伝達部材の上方向への回転操作に応じて上方向に回転することにより、前記対応する鍵に対してアクション加重を付与するハンマー部材と、
前記複数の支持部材夫々に取り付けられ、前記複数のハンマー保持部材が前記複数の鍵の配列方向に沿って取り付けられるハンマー支持レールと、
前記複数のハンマー部材夫々に対応して設けられ、当該ハンマー部材の回転動作に応答して押圧されることにより、楽音を発音するためのオン信号を出力する複数のスイッチ部と、
を有する鍵盤楽器。
【請求項１６】
請求項１５に記載の鍵盤楽器において、さらに前記複数の支持部材夫々に取り付けられ、
前記複数の伝達保持部材が前記複数の鍵の配列方向に沿って取り付けられる伝達部材支持レールを有する鍵盤楽器。
【請求項１７】
請求項１５または１６に記載の鍵盤楽器において、さらに前記複数の鍵の配列方向全長にわたる長さを有するとともに前記複数の支持部材夫々に取り付けられ、前記複数のハンマー部材夫々に対応して前記複数のスイッチ部のそれぞれが配置されたスイッチレールを有する鍵盤楽器。
【請求項１８】
請求項１５乃至１７の何れかに記載の鍵盤楽器において、さらに
前記複数のハンマー部材それぞれに対応して設けられ、当該複数のハンマー部材それぞれの上下限位置を規制する複数のストッパ部材と、
前記複数の鍵の配列方向全長にわたる長さを有するとともに前記複数の支持部材夫々に取り付けられ、前記複数のハンマー部材夫々に対応して前記複数のストッパ部材が配置されたストッパレールと、
を有する鍵盤楽器。
【請求項１９】
請求項１８に記載の鍵盤楽器において、前記複数のストッパ部材のそれぞれは、対応する前記複数のハンマー部材それぞれの上限位置を規制する上限ストッパ部材と、当該複数のハンマー部材それぞれの下限位置を規制する下限ストッパ部材と、を有する鍵盤楽器。
【請求項２０】
請求項１９に記載の鍵盤楽器において、前記ストッパレールは、上限ストッパレール及び下限ストッパレールを有し、前記複数の上限ストッパ部材の夫々は前記上限ストッパレールの下部に取り付けられるとともに、前記複数の下限ストッパ部材の夫々は前記下限ストッパレールの下部に取り付けられる鍵盤楽器。
【請求項２１】
請求項１５に記載の鍵盤楽器において、前記複数の支持部材夫々は、前記ベース部材上に取り付けられる取付部と、この取付部上に一体に形成され、前記複数の鍵の上方に突出した状態で、当該複数の鍵の後部間に配置されるように構成されたブリッジ部と、を有する鍵盤楽器。
【請求項２２】
請求項２１記載の鍵盤楽器において、前記ブリッジ部の後端下部には、前記伝達支持レールを支持する後側レール支持部が設けられ、前記ブリッジ部の前側上部には、前記ハンマー支持レールを支持する前側レール支持部が設けられている鍵盤楽器。